(57)【要約】本発明は、推薦を生成する方法に関する。本方法は、推薦を生成するためのフィードバックとして新たに作成された好みのカテゴリ２１１ａを入力するステップ、新たに作成された好みのカテゴリ２１１ａに対応する好みの情報を生成するステップ、及び生成された好みの情報の少なくとも一部に基づいて推薦を生成するステップを含んでいる。
2006526922.tif 000002
【特許請求の範囲】
【請求項１】
推薦を生成する方法であって、
推薦を生成するためのフィードバックとして新たに作成された好みのカテゴリを入力するステップと、
前記新たに作成された好みのカテゴリに対応する好みの情報を生成するステップと、
生成された好みの情報の少なくとも一部に基づいて推薦を生成するステップと、
を含むことを特徴とする方法。
【請求項２】
前記推薦を生成するステップは、テレビ番組の推薦を作成する、
請求項１記載の方法。
【請求項３】
前記好みの情報を生成するステップは、
リモートネットワークにアクセスするステップと、
前記新たに作成された好みのカテゴリに関連する少なくとも１つのキーワードについて前記リモートネットワークをサーチするステップと、
前記サーチするステップで得られた前記少なくとも１つのキーワードに関連する少なくとも１つのビデオクリップを検索するステップと、
前記少なくとも１つのビデオクリップから前記好みの情報を生成するステップと、
を含む請求項２記載の方法。
【請求項４】
前記アクセスするステップは、インターネットにアクセスするステップを含む、
請求項３記載の方法。
【請求項５】
前記少なくとも１つのキーワードは、前記新たに作成された好みのカテゴリのタイトルを含む、
請求項３記載の方法。
【請求項６】
前記少なくとも１つのビデオクリップから前記好みの情報を生成するステップは、前記少なくとも１つのビデオクリップからキーフレームを抽出するステップを含む、
請求項３記載の方法。
【請求項７】
前記推薦を生成する方法は、前記好みの情報の少なくとも一部に基づいてユーザプロファイルを生成するステップと、前記ユーザプロファイルの少なくとも一部に基づいて前記推薦を生成するステップを含む、
請求項６記載の方法。
【請求項８】
前記好みの情報を生成するステップは、前記新たに作成された好みのカテゴリに関連する少なくとも１つのビデオクリップをアップロードするステップと、前記少なくとも１つのビデオクリップから前記好みの情報を生成するステップとを含む、
請求項２記載の方法。
【請求項９】
前記少なくとも１つのビデオクリップから前記好みの情報を生成するステップは、前記少なくとも１つのビデオクリップからキーフレームを抽出するステップを含む、
請求項８記載の方法。
【請求項１０】
前記推薦を生成するステップは、前記好みの情報の少なくとも一部に基づいてユーザプロファイルを生成するステップと、前記ユーザプロファイルの少なくとも一部に基づいて前記推薦を生成するステップとを含む請求項９記載の方法。
【請求項１１】
推薦を生成する装置であって、
推薦を生成するためのフィードバックとして新たに作成された好みのカテゴリを入力する手段と、
前記新たに作成された好みのカテゴリに対応する好みの情報を生成する手段と、
生成された好みの情報の少なくとも一部に基づいて推薦を生成するリコメンダと、
を含むことを特徴とする装置。
【請求項１２】
前記好みの情報を生成する手段は、
リモートネットワークにアクセスするモデムと、
前記新たに作成された好みのカテゴリに関連する少なくとも１つのキーワードについて前記リモートネットワークをサーチする手段と、
前記サーチする手段で得られた前記少なくとも１つのキーワードに関連する少なくとも１つのビデオクリップを検索する手段と、
前記少なくとも１つのビデオクリップから前記好みの情報を生成する手段と、
を含む請求項１１記載の装置。
【請求項１３】
前記少なくとも１つのビデオクリップから前記好みの情報を生成する手段は、前記少なくとも１つのビデオクリップからキーフレームを抽出する手段を含む、
請求項１２記載の装置。
【請求項１４】
前記リコメンダは、前記好みの情報の少なくとも一部に基づいてユーザプロファイルを生成し、前記ユーザプロファイルの少なくとも一部に基づいて前記推薦を生成する、
請求項１３記載の装置。
【請求項１５】
前記好みの情報を生成する手段は、前記新たに作成された好みのカテゴリに関連する少なくとも１つのビデオクリップをアップロードする手段と、前記少なくとも１つのビデオクリップから前記好みの情報を生成する手段とを含む、
請求項１２記載の装置。
【請求項１６】
前記少なくとも１つのビデオクリップから前記好みの情報を生成する手段は、前記少なくとも１つのビデオクリップからキーフレームを抽出する手段を含む、
請求項１５記載の装置。
【請求項１７】
前記リコメンダは、前記好みの情報の少なくとも一部に基づいてユーザプロファイルを生成し、前記ユーザプロファイルの少なくとも一部に基づいて前記推薦を生成する、
請求項１６記載の装置。
【請求項１８】
推薦を生成する方法の方法ステップを実行するためのマシンにより実行可能な命令のプログラムを実現する、マシンにより読取り可能なプログラムストレージ装置であって、
推薦を生成するためのフィードバックとして新たに作成された好みのカテゴリを入力するステップと、
前記新たに作成された好みのカテゴリに対応する好みの情報を生成するステップと、
生成された好みの情報の少なくとも一部に基づいて推薦を生成するステップと、
を含むプログラムストレージ装置。
【請求項１９】
推薦を生成するためのコンピュータ読取り可能な媒体に実現されるコンピュータプログラムプロダクトであって、
推薦を生成するためのフィードバックとして新たに作成された好みのカテゴリを入力するコンピュータ読み取り可能なプログラムコード手段と、
前記新たに作成された好みのカテゴリに対応する好みの情報を生成するコンピュータ読み取り可能なプログラムコード手段と、
生成された好みの情報の少なくとも一部に基づいて推薦を生成するコンピュータ読み取り可能なプログラムコード手段と、
を含むコンピュータプログラムプロダクト。
【発明の詳細な説明】
【技術分野】
【０００１】
本発明は、リコメンダ全般に関し、特に、新たに作成された好みのカテゴリの少なくとも一部に基づいて推薦を生成するリコメンダに関する。
【背景技術】
【０００２】
明示的であることに基づいたＴＶリコメンダシステムは、明示的なインタフェースを介して、ユーザの好みを収集する。ユーザは、ステーションコールサイン、日時、曜日、タイトル、アクション、コメディアクション、サスペンスアクション、コメディ、コメディドラマ、ドラマ、スポーツ、ショウレーティング（セックス、バイオレンス等）、言語記述のようなジャンル、及びバスケットボール、フットボール、ホッケー、サッカー及びバスケットボールのようなスポーツといった、予め定義された好みのカテゴリのセット（代替的に「好み“ｐｒｅｆｅｒｅｎｃｅｓ”」）のうちから選択するのが期待される。たとえばＴｒｉｂｕｔｅにより提供される電子番組ガイド（ＥＰＧ：  Ｅｌｅｃｔｒｉｃ  Ｐｒｏｇｒａｍ  Ｇｕｉｄｅ）は、全体で１８６フィールドを有しており、そのうちの幾つかは繰り返される。例として、１０，２０，４０，８０及び１６０文字を有する番組記述について多数のフィールドが存在する。
【０００３】
かかる明示的なタイプのＴＶレコメンダでは、ユーザインタフェースが提供される。好みに対応するそれぞれのボタンは別として、典型的にスライダがあり、このスライダは、これを通してユーザが５ポイントのレーティングシステムに関する情報を提供することが期待される。たとえば、ユーザはショー（ｓｈｏｗ）が大好き、ショーを好む、ショーに関して普通、ショーを好まない、ショーが大嫌い。かかるリコメンダの１つの例は、２０００年９月２０日に提出され、“Ｍｅｔｈｏｄ  ａｎｄ  Ａｐｐａｒａｔｕｓ  ｆｏｒ  Ｇｅｎｅｒａｔｉｎｇ  Ｒｅｃｏｍｍｅｎｄａｔｉｏｎ  ｓｃｏｒｅｓ  ｕｓｉｎｇ  Ｉｍｐｌｉｃｉｔ  ａｎｄ  Ｅｘｐｌｉｃｉｔ  Ｖｉｅｗｉｎｇ  Ｐｒｅｆｅｒｅｎｃｅｓ”と題された係属中の米国特許出願シリアル番号０９／６６６，４０１で開示されており、その全体の内容は、その引用により本明細書に盛り込まれる。
【０００４】
明示的に基づいたＴＶリコメンダシステムで利用可能な好みのカテゴリの数は、制限されており、ＴＶで現在示されているブロードキャスト数の広いスペクトルをカバーしない。このことにも拘らず、現在の明示的に基づいたＴＶ推薦システムは、特定の予め定義されたカテゴリのセットを介して好みの情報をユーザに強制的に提供させる。
【発明の開示】
【発明が解決しようとする課題】
【０００５】
したがって、本発明の目的は、従来のリコメンダシステムに関連する問題を克服する推薦を生成するリコメンダリステムを提供することにある。
【０００６】
従来の明示的であることに基づいたＴＶリコメンダシステムは、明示的なインタフェースを介してユーザの好みを収集する。かかるリコメンダは、ユーザが選択したカテゴリに依存してユーザに関心のある番組を推薦する。しかし、かかるインタフェースは、クリケットのようなインタフェースによりサポートされていないカテゴリをユーザが好むので、現実的ではないことがある。
【課題を解決するための手段】
【０００７】
このため、本発明の装置及び方法は、好みのカテゴリをユーザが動的に作成するのを可能にすることで、ユーザの視聴の好みを動的に捕捉する機能を提供する。しかし、新たに作成された好みのカテゴリは、ＥＰＧの一部でない場合があるので、本発明の装置及び方法は、ユーザへの推薦を提供するためにＥＰＧに依存するのとは対照的に、新たに作成された好みのカテゴリの代表的なビデオクリップを使用する。
【０００８】
したがって、推薦を生成するための方法が提供される。本方法は、推薦を生成するためのフィードバックとして新たに作成された好みのカテゴリを入力するステップ、新たに作成された好みのカテゴリに対応する好みの情報を生成するステップ、生成された好みの情報の少なくとも一部に基づいて推薦を生成するステップを含んでいる。
【０００９】
推薦の生成は、テレビ番組の推薦を生成することができる。そのケースでは、好みの情報の生成は、リモートネットワークにアクセスするステップ、新たに作成されたタイトルに関連する少なくとも１つのキーワードについてリモートネットワークをサーチするステップ、サーチにより得られた少なくとも１つのキーワードに関連する少なくとも１つのビデオクリップを検索するステップ、及び少なくとも１つのビデオクリップから好みの情報を生成するステップを含んでいる。アクセスするステップは、インターネットにアクセスするステップを含むことができる。少なくとも１つのキーワードは、新たに作成された好みのカテゴリのタイトルを含んでいる。
【００１０】
少なくとも１つのビデオクリップからの好みの情報の生成は、少なくとも１つのビデオクリップからキーフレームを抽出するステップを含むことができる。そのケースでは、推薦の生成は、好みの情報の少なくとも一部に基づいてユーザプロファイルを生成するステップ、及びユーザプロファイルの少なくとも一部に基づいて推薦を生成するステップを含むことができる。推薦の生成がテレビ番組の推薦を生成する場合、好みの情報を生成するステップは、新たに作成された好みのカテゴリに関連する少なくとも１つのビデオクリップをアップロードするステップ、及び少なくとも１つのビデオカテゴリから好みの情報を生成するステップを含むことができる。少なくとも１つのビデオクリップから好みの情報を生成するステップは、少なくとも１つのビデオクリップからキーフレームを抽出するステップを含むことができる。そのケースでは、推薦を生成するステップは、好みの情報に少なくとも部分的に基づいてユーザプロファイルを生成するステップ、及びユーザプロファイルの少なくとも一部に基づいて推薦を生成するステップを含むことができる。
【００１１】
また、提供されるのは、推薦を生成する装置である。本装置は、推薦を生成するフィードバックとして新たに作成した好みのカテゴリを入力する手段、新たに作成された好みのカテゴリに対応する好みの情報を生成する手段、及び生成された好みの情報の少なくとも一部に基づいて推薦を生成するリコメンダを有している。
【００１２】
好みの情報を生成する手段は、リモートネットワークにアクセスするモデム、新たに作成されたタイトルに関連する少なくとも１つのキーワードについてリモートネットワークをサーチする手段、サーチにより得られた少なくとも１つのキーワードに関連する少なくとも１つのビデオクリップを検索する手段、及び少なくとも１つのビデオクリップから好みの情報を生成する手段を含むことができる。
【００１３】
少なくとも１つのビデオクリップから好みの情報を生成する手段は、少なくとも１つのビデオクリップからキーフレームを抽出する手段を含むことができる。そのケースでは、リコメンダは、好みの情報の少なくとも一部に基づいてユーザプロファイルを生成し、ユーザプロファイルの少なくとも一部に基づいて推薦を生成する。
【００１４】
好みの情報を生成する手段は、また、新たに作成されたカテゴリに関連する少なくとも１つのビデオクリップをアップロードする手段、及び少なくとも１つのビデオクリップから好みの情報を生成する手段を有することができる。
【００１５】
少なくとも１つのビデオクリップから好みの情報を生成する手段は、少なくとも１つのビデオクリップからキーフレームを抽出する手段を有することができる。そのケースでは、リコメンダは、好みの情報の少なくとも一部に基づいてユーザプロファイルを生成し、ユーザプロファイルの少なくとも一部に基づいて推薦を生成することができる。
【００１６】
また、本発明の方法を実行するためのコンピュータプログラムプロダクト、及びコンピュータプログラムプロダクトをそこに記憶するためのプログラムストレージ装置も提供される。
【００１７】
特に、推薦を生成する方法の方法ステップを実行するためにマシンにより実行可能な命令からなるプログラムを具体的に実施する、マシン読取り可能なプログラムストレージ装置が提供される。本方法は、推薦を生成するフィードバックとして新たに作成された好みのカテゴリを入力するステップ、新たに作成された好みのカテゴリに対応する好みの情報を生成するステップ、及び生成された好みの情報の少なくとも一部に基づいて推薦を生成するステップを含んでいる。
【００１８】
さらに、推薦を生成するコンピュータ読取り可能な媒体で実施されるコンピュータプログラムプロダクトが提供される。本コンピュータプログラムプロダクトは、推薦を生成するフィードバックとして新たに作成された好みのカテゴリを入力するコンピュータ読取り可能なプログラムコード手段、新たに作成された好みのカテゴリに対応する好みの情報を生成するコンピュータ読取り可能なプログラムコード手段、及び生成された好みの情報の少なくとも一部に基づいて推薦を生成するコンピュータ読取り可能なプログラムコード手段を有している。
【００１９】
本発明の装置及び方法に関する、これらの特徴及び他の特徴、これらの態様及び他の態様、並びにこれらの効果及び他の効果は、以下の説明、特許請求項の範囲及び添付図面に関して良好に理解されるであろう。
【発明を実施するための最良の形態】
【００２０】
本発明は、推薦が行われる各種のタイプのコンテンツに適用可能であるが、ビデオコンテンツの環境で特に有効であり、より詳細にはテレビ番組の環境で特に有効であることがわかっている。ビデオコンテンツ及びテレビ番組の推薦を生成することに本発明の適用を制限することなしに、本発明は、かかる環境で記載される。
【００２１】
図１を参照して、推薦を生成するための装置の好適な実現が示されており、本装置は、参照符号１００により一般に参照される。本装置１００は、ビデオ出力１０６を介して、テレビジョンのようなディスプレイ１０４に作用的に接続されるセットトップボックス１０２で構成されるのが好ましい。しかし、当業者であれば、本装置１００がディスプレイ１０４に統合して構成することができるのを理解されるであろう。セットトップボックス１０２は、リコメンダ１１０に作用的に接続されるセントラルプロセッサ１０８、ストレージ装置１１２、受信機１１４、モデムのような通信手段１１５、及びデータ入力手段１１９を含んでいる。
【００２２】
リコメンダ１１０は、代替的にリコメンダエンジンとも呼ばれ、ユーザフィードバック及び／又はユーザの視聴の癖に応答して、テレビ番組のようなビデオコンテンツ、又は他のコンテンツ用の推薦を生成する。かかるリコメンダ１１０は、２０００年９月２０日に提出され、“Ｍｅｔｈｏｄ  ａｎｄ  Ａｐｐａｒａｔｕｓ  ｆｏｒ  Ｇｅｎｅｒａｔｉｎｇ  Ｒｅｃｏｍｍｅｎｄａｔｉｏｎ  Ｓｃｏｒｅｓ  Ｕｓｉｎｇ  Ｉｍｐｌｉｃｉｔ  ａｎｄ  Ｅｘｐｌｉｃｉｔ  Ｖｉｅｗｉｎｇ  Ｐｒｅｆｅｒｅｎｃｅｓ”と題された、米国特許出願シリアル番号０９／６６６，４０１に開示されるように、当該技術分野では周知である。ハードドライブのようなストレージ装置１１２は、ユーザによる後の視聴のためにビデオコンテンツを記憶し、装置の動作のためのプログラム命令を記憶する。リコメンダは、個別の装置として概念的に示されているが、ストレージ装置１１２のプログラム命令のセットに含まれている場合もある。さらに、ストレージ装置１１２は、１つの装置として示されているが、２以上のストレージ装置を有する場合もあり、それらそれぞれがプロセッサ１０８に作用的に接続される。モデム１１５は、プロセッサ１０８の制御下にあり、ネットワーク１１７からのデータを受信するか、又はネットワーク１１７にデータを送出するためにネットワーク１１７に作用的に接続される。データ入力手段１１９は、フロプティカルディスクドライブ、ＣＤドライブ、ＤＶＤドライブ、又は携帯用の記憶媒体を読み取るための他の手段とすることができる。データ入力手段１１９は、データを本装置１００にアップロードするために、コンピュータのような別の装置に接続するためのＵＳＢポートのようなコネクタである場合もある。
【００２３】
受信機１１４は、本方法の遠隔動作のための制御信号を示すリモートコントロール１１６からの無線信号を受け、ディスプレイ１０４のスクリーン１１８に再現されるユーザインタフェースを通して本装置に情報を入力する。プロセッサ１０８は、リモートコントロール１１６からの無線信号を受信し、他の信号又は雑音から無線信号を分離し、必要であれば本装置で使用可能な無線信号を変換する。プロセッサ１０８は、リコメンダ１１０及びストレージ装置１１２をさらに制御し、ユーザインタフェースを生成し、スクリーン１１８での視聴のためにディスプレイ１０４にユーザインタフェースを出力する。当該技術分野で周知であるように、ユーザは、簡単なボタン１２０を押すことで、及び／又はリモートコントロールのジョイスティックボタン１２２を操作することで、リモートコントロール１１８によりユーザインタフェースを入力及び横送りする。
【００２４】
図２及び図３を参照して、推薦を生成する方法の好適な実現が説明される。先に説明されたように、あるタイプのリコメンダには、ユーザからのフィードバックを使用して、ビデオ又は他のコンテンツ用の推薦を生成することに役立てるものがある。推薦は、フィードバックに部分的又は全体的に基づくことができる。一般的に、参照符号２００により図２で参照されるユーザインタフェースは、プロセッサ１０８の制御下でディスプレイ１０４のスクリーン１１８で生成及び視聴される。ユーザインタフェースは、推薦を生成するための少なくとも１つの好みに関するフィードバックをユーザに促す。好みの例は、プライムタイム、レートナイト及びウィークエンドのような好みのタイムスロット２０２、英語又はスペイン語のような好みの言語２０４、好みの俳優２０６、ベースボール、バスケットボール、フットボール、ホッケー及びサッカーのような好みのスポーツ２０８を含んでいる。また、ユーザインタフェース２００は、先に説明されたように５ポイントの重み付けスケールを有するスライサ２０９を提供することのような、それぞれ選択された好みに重み付けするのをユーザに依頼する場合もある。
【００２５】
好み２０２−２０８は、適切な好み２０２−２０８に対応するボタン２１１がハイライト表示されるときに、リモートコントロール１１６上のジョイスティックボタン１２２でリストを横送りし、入力ボタンを押すことによるか、又は１以上の好み２０２−２０８に対応するドロップダウンリスト２１０を横送りし、ドロップダウンリスト２１０でエントリを選択することにより選択することができる。ひとたび選択されると、好みは、ハイライト表示されたままとなり、彼又は彼女の好みの「マップ」がユーザに提供される。スライダ２０９は、同様に選択され、ひとたび選択されると、ジョイスティックボタン１２２を使用してスライダボタン２１３を左又は右に移動させることで、対応する好みに割り当てられる対応する重みを入力することができる。代替的に、重み付けは、１〜５の間の数値を入力することで入力することができる。勿論、好み２０２−２０８は、例示を通してのみ与えられ、その完全なリストであることは意図されておらず、さらに、本発明の範囲又は精神をそれら記載されるものに制限することが意図されていない。たとえば、他の好みは、ジャンル、ステーションコールシグナル、レーティング、及び曜日を含んでいる。「新たな好みのカテゴリを作成」２１４のチョイスは、以下に記載されるように、視聴の好み２０２−２０８に追加するために更なる好みのカテゴリを作成するために提供される。さらに、「好みを入力」２１６のチョイスは、推薦の生成における使用についてハイライト表示された好みを入力するため、ユーザインタフェース２００で提供される。最後に、フィードバックプロセスを出て、本装置１００又はディスプレイ１０４の別の動作を再開するため、「出る」２１２のチョイスもまたユーザインタフェース２００に提供される。
【００２６】
一般に、本発明の方法により、リコメンダ又はＥＰＧによりサポートされていない更なる好みのカテゴリを定義及び作成するのが許容される。ＴＶリコメンダの性能は、ユーザにより提供される好みの情報のタイプに非常に依存することは周知である。先に説明されたように、従来のリコメンダは、予め定義されたショーカテゴリのセットを介してユーザが好みの情報を与えるのを許容する。さらに、ＥＰＧ自身は、予め定義されたカテゴリのセットを有する。たとえば、ユーザがシャトル／バドミントン、クリケットのようなゲームを好む場合、かかるカテゴリがＥＰＧ情報に存在しないので、彼／彼女にとってこの情報を提供する方法が存在しない。したがって、本発明の方法及び装置は、更なる好みのカテゴリをユーザが動的に作成する柔軟性を提供する。しかし、ユーザが作成したカテゴリはＥＰＧによりサポートされていない場合があるので、本方法は、システムがこれら新たなカテゴリに付属した情報をどこで発見／生成すべきかを気付くように補充される場合がある。
【００２７】
ユーザは、新たなカテゴリについて新たなボタン２１１ａ（図４を参照）が作成されるのを可能にする適切なユーザインタフェースの使用により、新たな好みのカテゴリを作成する。好ましくは、ユーザは、ユーザインタフェース２００に関する「新たな好みのカテゴリを作成」２１４のチョイスの選択により、手動の動作として新たな好みのカテゴリ情報を入力する。かかる選択は、ユーザインタフェースを、参照符号３００により一般的に示されている図３に示されるユーザインタフェースに切り替えるのが好ましい。代替的に、ユーザインタフェース３００は、ユーザインタフェース２００を置き換えることなしに窓としてポップアップすることができる。
【００２８】
ユーザインタフェース３００により、ユーザは、１以上の更なる好みのカテゴリをユーザインタフェース２００に追加するのを可能にする。ユーザインタフェース３００は、タイトルフィールド３０２を含んでいる。タイトルは、リモートコントロール（又は、キーボードのような他のデータ入力装置）上の適切なボタンを押し下げることで、英数字で入力することができる。たとえば、ユーザは、彼又は彼女がかかる好みのカテゴリをユーザインタフェース２００に追加するのを好む場合、タイトル「スポーツ／クリケット」又は「単にクリケット」を選択することができる。ユーザインタフェース３００には、リモートデータベース及び／又は、タイトルを表すビデオクリップ用のインターネットのようなリモートネットワークをサーチするサーチエンジンが設けられている。代替的に、「キーワード」フィールドを設けることができ、サーチエンジンは、タイトルの代わりに、又はタイトルに加えて入力されたキーワードをサーチする。
【００２９】
ユーザはタイトルフィールド３０２（又は代替的にキーワードフィールド）に「スポーツ／クリケット」を入力する場合、サーチエージェントは、インターネットでゲームクリケットに属するビデオクリップをサーチし、ストレージ装置１１２での記憶のために装置１００へのクリップを検索する。ユーザインタフェース２００は、次いで、「好みのスポーツ」２０８の下で「クリケット」と呼ばれる新たなカテゴリを作成し、このカテゴリを発見されたクリップにリンクする。先に説明されたように、デフォルトにより、新たなカテゴリのタイトルは、サーチ用のキーワードとして使用される。しかし、更なるフィールドは、タイトルに加えて、又はタイトルの代わりにサーチされるべきキーワードを入力するためにユーザインタフェース３００に供給される。
【００３０】
新たに作成された好みのカテゴリを表すクリップについてデータベース又はインターネットをサーチする代わりに、ユーザは、特定のクリップ又はクリップのセットを提供し、それらをシステムにアップロードし、これらのクリップを新たに作成された好みのカテゴリに関連付けする。したがって、インタフェース３００は、クリップ／トレイラーがアップロードされる位置３１２を入力するのと同様に、「クリップ／トレイラーをアップロード」３１０の選択を含んでいる。好ましくは、ユーザは、ＴＶ番組の一部又は新たに作成された好みのカテゴリを表すクリップを、ＤＶＤ又は他の記憶媒体のようなデータ入力手段１１９を通して、通信手段１１５を介して、又はＵＳＢポートのようなコネクタを通して装置１００に提供する。「バック」３１６のチョイスは、ユーザインタフェース２００に戻るためにユーザインタフェース３００に提供される。ユーザインタフェース３００が窓である場合、「バック」３１６のチョイスは、「窓を閉じる」のチョイスで置き換えられる。
【００３１】
代表的なクリップ用のタイトル（及び／又はキーワード）及び／又はロケーションを入力した後、ユーザは、「視聴の好みに新たな好みのカテゴリを追加」３１４のチョイスを選択し、本装置は、次いで、新たに作成された好みのカテゴリの代表的なクリップについてリモートデータベース又はインターネットをサーチし、及び／又は指摘された代表的なクリップをアップロードする。本装置は、次いで、図４に示されるようにユーザインタフェース２００を再構成し、たとえば「クリケット」２１１ａといった新たに作成された好みのカテゴリを含み、再構成されたユーザインタフェースは、参照符号２００ａにより一般に参照される。先に説明及び記載された例は、「好みのスポーツ」カテゴリ２０８の下でサブカテゴリ「クリケット」を作成するが、かかる点は、例示のみにより示されており、既存の好みのカテゴリのサブカテゴリの作成に本発明の範囲及び精神を制限することが意図されていない。当業者であれば、全体的に新たなカテゴリは、サブカテゴリと同様に作成することができることを理解されるであろう。ユーザインタフェース２００ａでは、ユーザは、次いで、彼／彼女がユーザインタフェース２００の既存のカテゴリに提供したのと同じやり方で、新たに作成された好みのカテゴリに好きの程度を提供する。
【００３２】
ユーザにより提供される好みの情報が予め定義されたカテゴリに基づいている場合について、ユーザへの推薦の生成は、２０００年９月２０日に提出され、“Ｍｅｔｈｏｄ  ａｎｄ  Ａｐｐａｒａｔｕｓ  ｆｏｒ  Ｇｅｎｅｒａｔｉｎｇ  Ｒｅｃｏｍｍｅｎｄａｔｉｏｎ  Ｓｃｏｒｅｓ  Ｕｓｉｎｇ  Ｉｍｐｌｉｃｉｔ  ａｎｄ  Ｅｘｐｌｉｃｉｔ  Ｖｉｅｗｉｎｇ  Ｐｒｅｆｅｒｅｎｃｅｓ”と題された米国特許出願シリアル番号０９／６６６，４０１号に開示されるように、当該技術分野で知られている多くの方法で行われる。
【００３３】
しかし、ユーザにより提供される好みの情報が１以上の新たに作成された好みのカテゴリ２１１ａに基づいている場合、代表的なクリップからの情報は、係属中の米国仮出願シリアル番号６０４６２，７７８（代理人事件番号＃ＵＳ０３００８７、２００３年４月１４日に提出され、“Ｇｅｎｅｒａｔｉｏｎ  ｏｆ  Ｉｍｐｌｉｃｉｔ  ＴＶ  Ｒｅｃｏｍｍｅｎｄａｔｉｏｎｓ  ｖｉａ  Ｓｈｏｗｓ  Ｉｍａｇｅ  Ｃｏｎｔｅｎｔ”）で開示されるように使用され、この全体の内容は、その引用により本明細書に盛り込まれる。要約すると、クリップのキーフレームは、ＥＰＧ情報（もしあれば）と同様に新たに作成された好みのカテゴリを表すビデオクリップから抽出され、ユーザプロファイルは、抽出されたキーフレーム及びＥＰＧ情報の少なくとも一部に基づいて生成され、視聴の推薦がユーザプロファイルに基づいて生成される。
【００３４】
本発明の方法は、コンピュータソフトウェアプログラムにより実行されるのに特に適しており、かかるコンピュータソフトウェアプログラムは、本方法の個々のステップに対応するモジュールを含んでいることが好ましい。かかるソフトウェアは、勿論、集積チップ又は周辺装置、ストレージ装置１１２のようなコンピュータが読取り可能な媒体で実施することができる。
【００３５】
本発明の好適な実施の形態で考慮されるべきものが図示及び記載されたが、本発明の精神から逸脱することなしに、様々な変更及び変形が形式及び詳細において容易になされることを理解されたい。したがって、本発明は、記載及び例示された正確な構成に限定されることが意図されていないが、特許請求の範囲に包含される場合がある全ての変更をカバーするために構築されるべきである。
【図面の簡単な説明】
【００３６】
【図１】本発明の方法を実行する装置の好適な実現の概念的な図示を説明する図である。
【図２】新たな好みのカテゴリを動的に作成するユーザインタフェースの好適な実現を説明する図である。
【図３】新たに作成された好みのカテゴリ情報を入力するユーザインタフェースの好適な実現を説明する図である。
【図４】更なる好みのカテゴリで変更される図２のユーザインタフェースを説明する図である。
2006526922.tif 000003
2006526922.tif 000004
2006526922.tif 000005
2006526922.tif 000006
【国際調査報告】
2006526922.tif 000007
2006526922.tif 000008
2006526922.tif 000009